(57)【要約】      （修正有）【課題】既設のエスカレータの駆動装置を交換する制御リニューアル方式において、簡単に設置することができる乗客コンベアの駆動装置を提供する。【解決手段】トラスに固定される乗客コンベアの駆動装置１０は、モータ１２、減速機１４、マシンベッド１６、マシン押さえ１８、マシン受け２０を有し、マシン受け２０に移動用車輪２２が取り付けられ、移動用車輪は左右一対のガイドレールと同じ幅であって、このガイドレールに沿って移動されトラスの所定位置の位置固定部に固定される。【選択図】図１
2011051775.tif 000002
【特許請求の範囲】
【請求項１】
乗客コンベアのトラスに固定され、前記乗客コンベアを駆動させる乗客コンベアの駆動装置において、
前記乗客コンベアを駆動させるモータと、
前記モータの減速機と、
前記モータと前記減速機が取り付けられている台と、
前記台に設けられた移動用車輪と、
を有したことを特徴とした乗客コンベアの駆動装置。
【請求項２】
前記トラスの所定の位置に、前記移動用車輪を固定する位置固定部が設けられている、
ことを特徴とした請求項１記載の乗客コンベアの駆動装置。
【請求項３】
前記車輪が、左右一対配され、
左右一対の前記移動用車輪の幅が、前記乗客コンベアの左右一対のガイドレールと同じ幅であって、左右一対の前記移動用車輪が、左右一対の前記ガイドレールに沿って移動可能である、
ことを特徴とした請求項１記載の乗客コンベアの駆動装置。
【発明の詳細な説明】
【技術分野】
【０００１】
本発明は、既設のエスカレーターの駆動装置を交換する制御リニューアルに用いられる乗客コンベアの駆動装置に関するものである。
【背景技術】
【０００２】
乗客コンベアは、耐用年数が定められており、耐用年数に達した乗客コンベアについては、リニューアルが行われる。また、耐用年数に達していない場合であっても、機能を向上させるためや外観を向上させるためなどにより、リニューアルが行われる場合がある。
【０００３】
このリニューアルにも幾つかの方法があり、第１の方法は、既設のエスカレーターを全て撤去し、新しいエスカレーターを設置する全撤去方式、第２の方法は、既設のエスカレーターのトラスフレームを残して使用する準撤去方式、第３の方法は、駆動装置のみを交換する制御リニューアル方式がある。
【０００４】
従来の制御リニューアル方式の場合、既設のトラスに新規駆動装置を設置するため、まずマシンプレートを設置し、その上にモータと減速機が取り付けられているマシンベッド、マシン受け、マシン押さえを現地にて組み立てて設置していた。
【０００５】
また、特許文献１においては、新規の駆動装置を固定するための取付け台を、古い取付け台で流用することで、取付け期間の短縮をする方法が提案されている。
【先行技術文献】
【特許文献】
【０００６】
【特許文献１】特開２００３−３２１１８１号公報
【発明の概要】
【発明が解決しようとする課題】
【０００７】
上記特許文献１の場合でも、現地で駆動装置を組み立てる必要があり、また、マシンプレートは既設のトラスに形状によって種類が増え、現地での設置作業時間も掛かるという問題点があった。また、新規の駆動装置を運搬する場合に、設置場所にエレベータ等が無い場合には、運搬等が困難であるという問題点があった。
【０００８】
そこで、本発明は、上記問題点に鑑み、制御リニューアル方式において、簡単に設置することができる乗客コンベアの駆動装置を提供する。
【課題を解決するための手段】
【０００９】
本発明は、乗客コンベアのトラスに固定され、前記乗客コンベアを駆動させる乗客コンベアの駆動装置において、前記乗客コンベアを駆動させるモータと、前記モータの減速機と、前記モータと前記減速機が取り付けられている台と、前記台に設けられた移動用車輪と、を有したことを特徴とした乗客コンベアの駆動装置である。
【発明の効果】
【００１０】
本発明によれば、移動用車輪によって駆動装置を簡単に移動させることができ、また、現地での据付け作業が短縮できる。
【図面の簡単な説明】
【００１１】
【図１】本発明に係る実施例１の駆動装置の側面図である。
【図２】実施例１の駆動装置の平面図である。
【図３】実施例１の駆動装置をトラスに取り付けた状態の側面図である。
【図４】実施例１に係る駆動装置をトラスに取り付けた状態の平面図である。
【図５】乗客コンベアで駆動装置を持ち上げている状態の説明図である。
【図６】実施例２に係る駆動装置の正面図とガイドレールの正面図である。
【発明を実施するための形態】
【００１２】
以下、本発明の一実施例の乗客コンベア１の駆動装置１０について図面に基づいて説明する。本実施例の駆動装置１０は、制御リニューアル方式におけるものであり、古い駆動装置と交換するためのものである。
【実施例１】
【００１３】
本発明に係る実施例１の乗客コンベア１の駆動装置１０について、図１〜図４に基づいて説明する。
【００１４】
図１と図２に示すように、駆動装置１０は、モータ１２、減速機１４、マシンベッド１６、マシン押さえ１８、マシン受け２０を有し、これらが一体となっている。モータ１２は、乗客コンベア１の駆動源であり、減速機１４はモータ１２を減速し所定の速度に落とすものである。モータ１２と減速機１４とは、マシンベッド１６に取り付けられており、このマシンベット１６は、マシン受け２０に載置され、かつ、マシン押さえ１８によってマシン受け２０に固定されている。マシン受け２０の前後左右には、４個の移動用車輪２２が回動自在に取り付けられている。
【００１５】
図３と図４に示すように、乗客コンベア１の既設のトラス２には前記駆動装置３を取り付けるためのマシン受けベース２４が設けられ、このマシン受けベース２４には、４個の移動用車輪２２がそれぞれ嵌合する凹部である車輪固定ベース２６が設けられている。
【００１６】
駆動装置１０をトラス２に設置する場合には、まず、作業者が駆動装置１０を移動用車輪２２によつて移動させる。この場合に、モータ１２、減速機１４、マシンベッド１６、マシン押さえ１８、マシン受け２０が一体となっているので、駆動装置１０を運搬するだけで全ての装置を運搬でき、また、現地で据え付け作業をする必要がない。
【００１７】
そして、作業者が駆動装置１０をトラス２のマシン受けベース２４に固定する場合には、４個の移動用車輪２２を４個の車輪固定ベース２６に嵌め込み、位置決めして、マシン受けベース２４にマシン受け２０を固定する。
【００１８】
本実施例によれば、制御リニューアルをするときに、モータ１２、減速機１４、マシンベッド１６、マシン押さえ１８、マシン受け２０が一体となった駆動装置１０を設置できるので、現地での据付け作業が短縮される。また、駆動装置１０に移動用車輪２２が取り付けられていることにより、駆動装置１０の運搬が簡単である。また、この移動用車輪２２を車輪固定ベース２６に取り付けることにより、トラス２に対する駆動装置１０の位置決めが簡単となる。
【実施例２】
【００１９】
次に、実施例２のリニューアル用の駆動装置１０について、図５と図６に基づいて説明する。
【００２０】
本実施例と実施例１の異なる点は、移動用車輪２２の左右の間隔にある。本実施例では、図６に示すように、左右一対の移動用車輪２２の幅を、コンベア１のガイドレール３と同じ幅にしている。
【００２１】
これにより、図５に示すように、下の階にある駆動装置１０を上の階に上げる場合に、左右一対の移動用車輪２２，２２を左右一対のガイドレール３，３に合わせ、ガイドレール３に沿って移動可能とし、その後、駆動装置１０を揚重機４によってロープ５を用いて引き上げ、駆動装置１０を取り付ける上の階に引き上げる。
【００２２】
そして、古い駆動装置６を外し、代わりに駆動装置１０を取り付ける。この場合に、実施例１と同様に左右一対の移動用車輪２２に合うように車輪固定ベース２６を設けておいてもよい。
【００２３】
なお、揚重機４が使用できない場合は、古い駆動装置６の駆動力によってリニューアル用の駆動装置１０を上の階に運搬する。
【００２４】
本実施例によれば、ガイドレール３に沿って駆動装置１０を運搬することができるため、エレベータ等の運搬手段が無い場合でも簡単に運搬ができる。
【符号の説明】
【００２５】
１  コンベア
２  トラス
３  ガイドレール
１０  駆動装置
１２  モータ
１４  減速機
１６  マシンベッド
１８  マシン押さえ
２０  マシン受け
２２  移動用車輪
【図１】
2011051775.tif 000003
【図２】
2011051775.tif 000004
【図３】
2011051775.tif 000005
【図４】
2011051775.tif 000006
【図５】
2011051775.tif 000007
【図６】
2011051775.tif 000008